【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
装置によって実施されるワイヤレス通信の方法であって、
第1のデバイスから登録パケットを受信し、前記第1のデバイスの代わりにメッセージを受信するように前記装置に要求するステップであって、前記登録パケットが、ワイヤレス通信ネットワーク内の別のデバイスによって提供されるサービスへの興味を示すステップと、
前記登録パケットを受信したことに応答して、第1の省電力メッセージを送信するステップであって、前記第1の省電力メッセージは、前記第1のデバイスに省電力モードに入るように命令するように構成される、ステップと、
複数の発見間隔のうちの第1の発見間隔中に第2のデバイスから発見パケットを受信するステップであって、前記発見パケットが、前記第2のデバイスによって提供されるサービスを広告し、前記複数の発見間隔が、前記ワイヤレス通信ネットワーク内で複数のデバイスが発見パケットを送信および受信するように構成される循環時間間隔を含む、ステップと、
前記発見パケットを受信したことに応答して、第2の省電力メッセージを送信するステップであって、前記第2の省電力メッセージは、前記第2のデバイスに省電力モードに入るように命令するように構成される、ステップと、
前記発見パケットを受信したことに応答して、通知パケットを送信するステップであって、前記通知パケットは、前記第1のデバイスに前記省電力モードを出るように命令し、前記第1のデバイスに前記受信された発見パケットを通知し、前記第1のデバイスと前記第2のデバイスが直接通信することを可能にするように構成される、ステップと
を含む方法。
【請求項２】
前記通知パケットがトラフィック指示メッセージを含む、請求項1に記載の方法。
【請求項３】
前記通知パケットを送信する前記ステップが、前記通知パケットを前記第1のデバイスに送信するステップを含む、請求項1に記載の方法。
【請求項４】
前記通知パケットが、前記第2のデバイスから受信された前記発見パケットをフォワードするように構成されたページフォワードフレームを備える、請求項3に記載の方法。
【請求項５】
ページングパケットを前記第2のデバイスに送信するステップをさらに含み、前記ページングパケットは、前記第2のデバイスに、前記省電力モードを出るよう命令するように構成された、請求項1に記載の方法。
【請求項６】
前記ページングパケットを送信するステップは、複数のページング間隔のうちの第1のページング間隔中に前記ページングパケットを送信するステップであって、前記ページングパケットが、前記第1のデバイスによる、前記第2のデバイスによって提供される前記サービスへの興味を示し、前記複数のページング間隔が、前記ワイヤレス通信ネットワーク内で前記複数のデバイスがページングパケットを送信および受信するように構成される循環時間間隔を含み、前記複数のページング間隔が前記複数の発見間隔と重複しないステップを含む、請求項5に記載の方法。
【請求項７】
ワイヤレス通信システムにおいて動作可能な装置であって、
メモリ回路に接続されたプロセッサ回路と、
前記プロセッサ回路に接続され、第1のデバイスから登録パケットを受信し、前記第1のデバイスの代わりにメッセージを受信するように前記装置に要求し、複数の発見間隔のうちの第1の発見間隔中に第2のデバイスから発見パケットを受信するように構成された受信回路であって、前記登録パケットが、ワイヤレス通信ネットワーク内の別のデバイスによって提供されるサービスへの興味を示し、前記発見パケットが、前記第2のデバイスによって提供されるサービスを広告し、前記複数の発見間隔が、前記ワイヤレス通信ネットワーク内で複数のデバイスが発見パケットを送信および受信するように構成される循環時間間隔を含む、受信回路と、
前記プロセッサ回路に接続され、
前記登録パケットを受信したことに応答して、第1の省電力メッセージを送信し、前記発見パケットを受信したことに応答して、第2の省電力メッセージを送信し、前記発見パケットを受信したことに応答して、通知パケットを送信するように構成された送信回路であって、前記第1の省電力メッセージは、前記第1のデバイスに省電力モードに入るように命令するように構成され、前記第2の省電力メッセージは、前記第2のデバイスに省電力モードに入るように命令するように構成され、前記通知パケットは、前記第1のデバイスに前記省電力モードを出るように命令し、前記第1のデバイスに前記受信された発見パケットを通知し、前記第1のデバイスと前記第2のデバイスが直接通信することを可能にするように構成される、送信回路と、
を備える装置。
【請求項８】
前記通知パケットがトラフィック指示メッセージを含む、請求項7に記載の装置。
【請求項９】
前記送信回路が、前記通知パケットを前記第1のデバイスに送信するように構成される、請求項7に記載の装置。
【請求項１０】
前記通知パケットが、前記第2のデバイスから受信された前記発見パケットをフォワードするように構成されたページフォワードフレームを備える、請求項9に記載の装置。
【請求項１１】
前記送信回路がさらに、ページングパケットを前記第2のデバイスに送信するように構成され、前記ページングパケットは、前記第2のデバイスに、前記省電力モードを出るよう命令するように構成された、請求項7に記載の装置。
【請求項１２】
前記送信回路が、複数のページング間隔のうちの第1のページング間隔中に前記ページングパケットを送信するようにさらに構成され、前記ページングパケットが、前記第1のデバイスによる、前記第2のデバイスによって提供される前記サービスへの興味を示し、前記複数のページング間隔が、前記ワイヤレス通信ネットワーク内で前記複数のデバイスがページングパケットを送信および受信するように構成される循環時間間隔を含み、前記複数のページング間隔が前記複数の発見間隔と重複しない、請求項11に記載の装置。
【請求項１３】
命令を含む非一時的コンピュータ可読記憶媒体であって、前記命令が、実行されると、装置に、
第1のデバイスから登録パケットを受信し、前記第1のデバイスの代わりにメッセージを受信するように前記装置に要求するステップであって、前記登録パケットが、ワイヤレス通信ネットワーク内の別のデバイスによって提供されるサービスへの興味を示すステップと、
前記登録パケットを受信したことに応答して、第1の省電力メッセージを送信するステップであって、前記第1の省電力メッセージは、前記第1のデバイスに省電力モードに入るように命令するように構成される、ステップと、
複数の発見間隔のうちの第1の発見間隔中に第2のデバイスから発見パケットを受信するステップであって、前記発見パケットが、前記第2のデバイスによって提供されるサービスを広告し、前記複数の発見間隔が、前記ワイヤレス通信ネットワーク内で複数のデバイスが発見パケットを送信および受信するように構成される循環時間間隔を含む、ステップと、
前記発見パケットを受信したことに応答して、第2の省電力メッセージを送信するステップであって、前記第2の省電力メッセージは、前記第2のデバイスに省電力モードに入るように命令するように構成される、ステップと、
前記発見パケットを受信したことに応答して、通知パケットを送信するステップであって、前記通知パケットは、前記第1のデバイスに前記省電力モードを出るように命令し、前記第1のデバイスに前記受信された発見パケットを通知し、前記第1のデバイスと前記第2のデバイスが直接通信することを可能にするように構成される、ステップと
を実施させる、非一時的コンピュータ可読記憶媒体。
【請求項１４】
前記第1の省電力メッセージはさらに、前記第1のデバイスが前記通知パケットを受信するまで、前記省電力モードに留まるように前記第1のデバイスに命令するように構成される、請求項1に記載の方法。
【請求項１５】
前記第1の省電力メッセージはさらに、前記第1のデバイスが前記通知パケットを受信するまで、前記省電力モードに留まるように前記第1のデバイスに命令するように構成される、請求項7に記載の装置。